(57)【要約】      （修正有）【課題】機動的に管線の配管線方向に合わせて組み合わされ、有効に管線を固定でき、管線に対して押しつぶされて破壊されるのを防止する防護作用を形成する配管線用組合せ式ダクトの提供。【解決手段】配管線用ダクトは各組合せ板１１及び斜板２０の板面部分に少なくとも一つの両端まで延伸された凹溝３０が設けられ、且つ各組合せ板の両端に相互に係合可能な接合部が設けられ、各斜板はその一端に接合部が設けられ、全体の配管線用ダクトが各型の組合せ板を機動的に管線の配管線方向に合わせて相互に接続して構成され、並びに斜板が両辺の組合せ板の末端に組付けられ、組合せ板の凹溝が、油管、水管、高圧空気風管、電線等の管線の収容空間として利用される。【選択図】図４
0003135940.tif 000002
【実用新案登録請求の範囲】
【請求項１】
配管線用組合せ式ダクトにおいて、
少なくとも一つの長細型の組合せ板であって、その板面に両端まで延伸された凹溝が設けられ、該凹溝が管線の収容空間とされ、並びにが組合せ板の両端に相互に係合可能な接合部が設けられた、上記少なくとも一つの長細型の組合せ板と、
二つの斜板であって、その板面に両端まで延伸された少なくとも一つの凹溝が設けられ、並びにそのうちの一端に接合部が設けられた、上記二つの斜板と、
を包含したことを特徴とする、配管線用組合せ式ダクト。
【請求項２】
配管線用組合せ式ダクトにおいて、
少なくとも一つの長細型の組合せ板であって、その板面に両端まで延伸された凹溝が設けられ、該凹溝が管線の収容空間とされ、並びにが組合せ板の両端に相互に係合可能な接合部が設けられた、上記少なくとも一つの長細型の組合せ板と、
少なくとも一つの曲角型の組合せ板とされ、その板面に両端まで延伸された凹溝が設けられ、この凹溝が管線の収容空間とされ、その二つの端面が所定の夾角を具備し、並びにその両端に相互に係合する接合部が設けられた、上記少なくとも一つの曲角型の組合せ板と、
二つの斜板であって、その板面に両端まで延伸された少なくとも一つの凹溝が設けられ、並びにそのうちの一端に接合部が設けられた、上記二つの斜板と、
を包含したことを特徴とする、配管線用組合せ式ダクト。
【請求項３】
請求項１記載の配管線用組合せ式ダクトにおいて、前記長細型の組合せ板の接合部が相互に対応するよう両端に設けられた係止耳と係止孔で構成され、そのうち一つの斜板の接合部が係止耳で構成され、もう一つの斜板の接合部は係止孔で構成されたことを特徴とする、配管線用組合せ式ダクト。
【請求項４】
請求項２記載の配管線用組合せ式ダクトにおいて、前記長細型の組合せ板の接合部が相互に対応するよう両端に設けられた係止耳と係止孔で構成され、前記曲角型の組合せ板の接合部は相互に対応するよう両端に設けられた係止耳と係止孔で構成され、そのうち一つの斜板の接合部が係止耳で構成され、もう一つの斜板の接合部は係止孔で構成されたことを特徴とする、配管線用組合せ式ダクト。
【請求項５】
請求項１記載の配管線用組合せ式ダクトにおいて、前記長細型の組合せ板の凹溝以外の部分が凹状に設計されたことを特徴とする、配管線用組合せ式ダクト。
【請求項６】
請求項２記載の配管線用組合せ式ダクトにおいて、前記曲角型の組合せ板の凹溝以外の部分が凹状に設計されたことを特徴とする、配管線用組合せ式ダクト。
【請求項７】
請求項１記載の配管線用組合せ式ダクトにおいて、前記長細型の組合せ板及び斜板の板端上部に斜辺エリアが設けられたことを特徴とする、配管線用組合せ式ダクト。
【請求項８】
請求項２記載の配管線用組合せ式ダクトにおいて、前記長細型の組合せ板、曲角型の組合せ板及び及び斜板の板端上部に斜辺エリアが設けられたことを特徴とする、配管線用組合せ式ダクト。
【請求項９】
請求項１又は２記載の配管線用組合せ式ダクトにおいて、前記斜板の該接合部が設けられた一端と別の一端及び凹溝の底面が端面に向けて低く傾斜する構造形態とされたことを特徴とする、配管線用組合せ式ダクト。
【請求項１０】
請求項１記載の配管線用組合せ式ダクトにおいて、前記長細型の組合せ板の板面部分にカバー板が設けられたことを特徴とする、配管線用組合せ式ダクト。
【請求項１１】
請求項２記載の配管線用組合せ式ダクトにおいて、前記長細型の組合せ板及び曲角型の組合せ板の板面部分にカバー板が設けられたことを特徴とする、配管線用組合せ式ダクト。
【請求項１２】
請求項１記載の配管線用組合せ式ダクトにおいて、前記長細型の組合せ板の板面部分にカバー板が設けられ、該カバー板及び該長細型の組合せ板の板面に相互に対応するピン挿通部が設けられ、ピンが該ピン挿通部に挿通されて該カバー板が該長細型の組合せ板に枢設されたことを特徴とする、配管線用組合せ式ダクト。
【請求項１３】
請求項２記載の配管線用組合せ式ダクトにおいて、前記長細型の組合せ板の板面部分及び曲角型の組合せ板の板面部分にカバー板が設けられ、該カバー板及び該長細型の組合せ板の板面に相互に対応するピン挿通部が設けられ、ピンが該ピン挿通部に挿通されて該カバー板が該長細型の組合せ板に枢設され、該カバー板及び該曲角型の組合せ板の板面に相互に対応するピン挿通部が設けられ、ピンが該ピン挿通部に挿通されて該カバー板が該曲角型の組合せ板に枢設されたことを特徴とする、配管線用組合せ式ダクト。
【請求項１４】
請求項１記載の配管線用組合せ式ダクトにおいて、前記長細型の組合せ板及び斜板の表面に防滑凸歯が設けられたことを特徴とする、配管線用組合せ式ダクト。
【請求項１５】
請求項２記載の配管線用組合せ式ダクトにおいて、前記長細型の組合せ板及び曲角型の組合せ板及び斜板の表面に防滑凸歯が設けられたことを特徴とする、配管線用組合せ式ダクト。
【請求項１６】
請求項１記載の配管線用組合せ式ダクトにおいて、前記長細型の組合せ板の板面部分にカバー板が設けられ、該長細型の組合せ板、カバー板及び斜板の表面に防滑凸歯が設けられたことを特徴とする、配管線用組合せ式ダクト。
【請求項１７】
請求項２記載の配管線用組合せ式ダクトにおいて、前記長細型の組合せ板及び曲角型の組合せ板の板面にカバー板が設けられ、該長細型の組合せ板、該曲角型の組合せ板、カバー板及び斜板の表面に防滑凸歯が設けられたことを特徴とする、配管線用組合せ式ダクト。
【考案の詳細な説明】
【技術分野】
【０００１】
本考案は一種の管線防護装置に係り、特に、機動的に管線の配管線方向に合わせて組み合わされ、管線を有効に固定し並びに管線が押しつぶされて破壊されるのを防止する配管線用組合せ式ダクトに関する。
【背景技術】
【０００２】
飛行場の整備場では、同一時間に飛行機に対して燃料、水、電力の補給を行うと共に、関係部品、装置の修理或いは交換を行なう必要がある。このため整備場の作業環境では運送機具、車両が行き交い、且つ経常的に燃料、水、電力、高圧空気等を輸送する管線もまた運送機具の動線（移動経路）を跨ぐことで作業のエリアに到達できる。全体の開放式の作業環境中では、人或いは運送機具の動線を跨ぐ配管線方向は必然の現象であり、このため運送機具或いは人が管線を通過する時、露出した管線が引っ掛かり、正常な作業に影響が生じたり、ときには過度に引っ張られて関係設備の毀損がもたらされることがある。
【０００３】
特に、露出した管線自体は全く防護されてない状況で、押しつぶされるか圧迫されて毀損しやすく、このため市場にはいわゆる移動式の配管線用ダクトが出現している。この周知の移動式配管線用ダクトは若干の長方形の板体に若干の、管線を収容する凹溝が設けられ、複数の板体が順に放置されて管線を固定する構造とされている。
【０００４】
しかし、周知の移動式配管線用ダクトの板体の間には関係する組立設計がなく、板体自身の重量を利用して位置を固定するだけであるため、通過する人が板体にひっかかると、放置された全体の板体がばらばらになり、板体につまずいて事故が発生する場合さえある。また、板体の重量が重くなるほど、運搬上の不便を形成し、板体の材料、製作コストも増す。
【考案の開示】
【考案が解決しようとする課題】
【０００５】
以上を鑑み、本考案は上述の燃料管、水管、高圧空気風管及び電線等の管線の、実際の使用時に遭遇する固定しにくく、押しつぶされて毀損しやすい問題を確実に解決するため、周知の移動式配管線用ダクトの構造を改良し、一種の、機動的に配管線方向に合わせて組み合わせられ、有効に管線を固定し並びに管線が押しつぶされて破壊されるのを防止できる配管線用組合せ式ダクトを提供することを目的とする。
【課題を解決するための手段】
【０００６】
請求項１の考案は、配管線用組合せ式ダクトにおいて、
少なくとも一つの長細型の組合せ板であって、その板面に両端まで延伸された凹溝が設けられ、該凹溝が管線の収容空間とされ、並びにが組合せ板の両端に相互に係合可能な接合部が設けられた、上記少なくとも一つの長細型の組合せ板と、
二つの斜板であって、その板面に両端まで延伸された少なくとも一つの凹溝が設けられ、並びにそのうちの一端に接合部が設けられた、上記二つの斜板と、
を包含したことを特徴とする、配管線用組合せ式ダクトとしている。
請求項２の考案は、配管線用組合せ式ダクトにおいて、
少なくとも一つの長細型の組合せ板であって、その板面に両端まで延伸された凹溝が設けられ、該凹溝が管線の収容空間とされ、並びにが組合せ板の両端に相互に係合可能な接合部が設けられた、上記少なくとも一つの長細型の組合せ板と、
少なくとも一つの曲角型の組合せ板とされ、その板面に両端まで延伸された凹溝が設けられ、この凹溝が管線の収容空間とされ、その二つの端面が所定の夾角を具備し、並びにその両端に相互に係合する接合部が設けられた、上記少なくとも一つの曲角型の組合せ板と、
二つの斜板であって、その板面に両端まで延伸された少なくとも一つの凹溝が設けられ、並びにそのうちの一端に接合部が設けられた、上記二つの斜板と、
を包含したことを特徴とする、配管線用組合せ式ダクトとしている。
請求項３の考案は、請求項１記載の配管線用組合せ式ダクトにおいて、前記長細型の組合せ板の接合部が相互に対応するよう両端に設けられた係止耳と係止孔で構成され、そのうち一つの斜板の接合部が係止耳で構成され、もう一つの斜板の接合部は係止孔で構成されたことを特徴とする、配管線用組合せ式ダクトとしている。
請求項４の考案は、請求項２記載の配管線用組合せ式ダクトにおいて、前記長細型の組合せ板の接合部が相互に対応するよう両端に設けられた係止耳と係止孔で構成され、前記曲角型の組合せ板の接合部は相互に対応するよう両端に設けられた係止耳と係止孔で構成され、そのうち一つの斜板の接合部が係止耳で構成され、もう一つの斜板の接合部は係止孔で構成されたことを特徴とする、配管線用組合せ式ダクトとしている。
請求項５の考案は、請求項１記載の配管線用組合せ式ダクトにおいて、前記長細型の組合せ板の凹溝以外の部分が凹状に設計されたことを特徴とする、配管線用組合せ式ダクトとしている。
請求項６の考案は、請求項２記載の配管線用組合せ式ダクトにおいて、前記曲角型の組合せ板の凹溝以外の部分が凹状に設計されたことを特徴とする、配管線用組合せ式ダクトとしている。
請求項７の考案は、請求項１記載の配管線用組合せ式ダクトにおいて、前記長細型の組合せ板及び斜板の板端上部に斜辺エリアが設けられたことを特徴とする、配管線用組合せ式ダクトとしている。
請求項８の考案は、請求項２記載の配管線用組合せ式ダクトにおいて、前記長細型の組合せ板、曲角型の組合せ板及び及び斜板の板端上部に斜辺エリアが設けられたことを特徴とする、配管線用組合せ式ダクトとしている。
請求項９の考案は、請求項１又は２記載の配管線用組合せ式ダクトにおいて、前記斜板の該接合部が設けられた一端と別の一端及び凹溝の底面が端面に向けて低く傾斜する構造形態とされたことを特徴とする、配管線用組合せ式ダクトとしている。
請求項１０の考案は、請求項１記載の配管線用組合せ式ダクトにおいて、前記長細型の組合せ板の板面部分にカバー板が設けられたことを特徴とする、配管線用組合せ式ダクトとしている。
請求項１１の考案は、請求項２記載の配管線用組合せ式ダクトにおいて、前記長細型の組合せ板及び曲角型の組合せ板の板面部分にカバー板が設けられたことを特徴とする、配管線用組合せ式ダクトとしている。
請求項１２の考案は、請求項１記載の配管線用組合せ式ダクトにおいて、前記長細型の組合せ板の板面部分にカバー板が設けられ、該カバー板及び該長細型の組合せ板の板面に相互に対応するピン挿通部が設けられ、ピンが該ピン挿通部に挿通されて該カバー板が該長細型の組合せ板に枢設されたことを特徴とする、配管線用組合せ式ダクトとしている。
請求項１３の考案は、請求項２記載の配管線用組合せ式ダクトにおいて、前記長細型の組合せ板の板面部分及び曲角型の組合せ板の板面部分にカバー板が設けられ、該カバー板及び該長細型の組合せ板の板面に相互に対応するピン挿通部が設けられ、ピンが該ピン挿通部に挿通されて該カバー板が該長細型の組合せ板に枢設され、該カバー板及び該曲角型の組合せ板の板面に相互に対応するピン挿通部が設けられ、ピンが該ピン挿通部に挿通されて該カバー板が該曲角型の組合せ板に枢設されたことを特徴とする、配管線用組合せ式ダクトとしている。
請求項１４の考案は、請求項１記載の配管線用組合せ式ダクトにおいて、前記長細型の組合せ板及び斜板の表面に防滑凸歯が設けられたことを特徴とする、配管線用組合せ式ダクトとしている。
請求項１５の考案は、請求項２記載の配管線用組合せ式ダクトにおいて、前記長細型の組合せ板及び曲角型の組合せ板及び斜板の表面に防滑凸歯が設けられたことを特徴とする、配管線用組合せ式ダクトとしている。
請求項１６の考案は、請求項１記載の配管線用組合せ式ダクトにおいて、前記長細型の組合せ板の板面部分にカバー板が設けられ、該長細型の組合せ板、カバー板及び斜板の表面に防滑凸歯が設けられたことを特徴とする、配管線用組合せ式ダクトとしている。
請求項１７の考案は、請求項２記載の配管線用組合せ式ダクトにおいて、前記長細型の組合せ板及び曲角型の組合せ板の板面にカバー板が設けられ、該長細型の組合せ板、該曲角型の組合せ板、カバー板及び斜板の表面に防滑凸歯が設けられたことを特徴とする、配管線用組合せ式ダクトとしている。
【考案の効果】
【０００７】
上述の目的を達成するため、本考案の配管線用組合せ式ダクトは、少なくとも一つの組合せ板と斜板を組み合わせて構成する。そのうち、組合せ板は長細く角が曲がった板体とし、各組合せ板及び斜板の板面部分に少なくとも一つの、両端まで延伸した凹溝を設け、且つ各組合せ板の両端に、相互に係合する接合部を設け、各斜板はその一端に接合部を設ける。全体の配管線用組合せ式ダクトは、各型の組合せ板を機動的に配管線方向に合わせて相互に接続して組み合わせてなり、並びに斜板を両辺の組合せ板の末端に組み合わせ、並びに組合せ板の凹溝を燃料管、水管、高圧空気風管、電線等の管線の収容空間として利用し、有効に管線を固定し、並びに管線に対して押しつぶされ破壊されるのを防止する防護作用を構成する。
【０００８】
特に、本考案の配管線用組合せ式ダクトは複数の組合せ板が相互に組み合わされて結合されてなり、全体の配管線用組合せ式ダクトが構造の完全性を具備し、外力の衝撃によって基本の機能を喪失することがなく、組合せ板を軽量化の方向に向けて設計することで、材料、製造のコストを有効に下げることができる。
【考案を実施するための最良の形態】
【０００９】
本考案の配管線用組合せ式ダクトは、その全体のダクトの部品が組合せ板と斜板の二つの部分を包含する。そのうち、組合せ板は長細型板塊形態とされるか、曲角型板塊形態とされ、異なる型式の組合せ板の機能を説明するため、以下に、図１に示される長細型組合せ板、及び図２及び図３に示される曲角型組合せ板を、それぞれ組合せ板１１及び組合せ板１２の符号を以て区分する。
【００１０】
図１から図３を共に参照されたい。各組合せ板１１、１２及び斜板２０の板面部分に少なくとも一つの、両端まで延伸された凹溝３０が設けられ、且つ各組合せ板１１、１２の両端に相互に係合可能な接合部が設けられ、各斜板２０はその一端に接合部が設けられている。具体的な実施時には、接合部は相互に対応するよう組合せ板１１、１２の両端に設けられた係止耳４１及び係止孔４２で構成され得て、その斜板２０の接合部は係止孔４２或いは係止耳４１の二種類の型式に分けられ、同様に曲角型の組合せ板１２も配管線方向の折り曲げ方向の違いのために、図２及び図３に示されるように、係止耳４１と係止孔４２の配設方向は相互に対応する２種類の型式がある。
【００１１】
ゆえに、全体の配管線用組合せ式ダクトは各型の組合せ板を機動的に配管線方向に合わせて相互に接続させ組み合わせてなり、図４に示されるのは単純に複数の長細型の組合せ板１１と二つの斜板２０を組み合わせ、接合してなした直線状の配管線用組合せ式ダクトであり、組合せ板１１の凹溝３０が、燃料管、水管、高圧空気風管、電線等の管線６０の収容空間とされ、且つ二つの斜板２０はその接合部が設けられた端部と別の一端の板面及び凹溝３０の底面が端面に向けて低く傾斜する構造形態とされ、管線６０が順調に組合せ板１１のエリアに進入できるものとされ、並びに全体の配管線用組合せ式ダクトの構造がさらに完全なものとされている。
【００１２】
図５は複数の長細型の組合せ板１１及び複数の曲角型の組合せ板１２の組立方式の表示図であり、そのうち、各曲角型の組合せ板１２の二つの端面は所定の夾角を具備し（図示される各曲角型の組合せ板１２の二つの端面の夾角は４５度に設計されている）、組立後の配管線用組合せ式ダクトが比較的多くの角度折り曲げ変化方式を具備するものとされ、長細型の組合せ板１１及び曲角型の組合せ板１２が接続する凹溝が燃料管、水管、高圧空気風管、電線等の管線６０の収容空間とされて、異なる作業環境の配管線方向の要求に対応し、並びに確実に管線を固定し、並びに管線に対して押しつぶされて破壊されるのを防止する防護作用を構成する。
【００１３】
さらに、本考案の配管線用組合せ式ダクトは組合せ板１１、１２の板面位置にカバー板１３を設置可能であり、実施時には、図１及び図４に示されるように、カバー板１３及び組合せ板１１の板面に相互に対応するピン挿通部１４が設けられ、このほかピン１５が該ピン挿通部１４に挿通される方式でカバー板１３が組合せ板１１の板面に枢設され、カバー板１３を利用して組合せ板１１の凹溝３０が遮蔽されて、管線６０に対する保護効果を増し、必要時には、カバー板１３を開くか或いは取り外し、管線６０の敷設に影響が生じないようにする。
【００１４】
注意すべきことは、本考案の配管線用組合せ式ダクトは複数の組合せ板が相互に組み合わされ、結合されてなり、全体の配管線用ダクトが構造の完全性を具備し、外力の衝撃によって基本の機能を失墜することがなく、さらには、図６に示されるように、組合せ板１１の凹溝３０以外の部分を凹状に設計でき、これにより全体の組合せ板１１を軽量化の方向に設計でき、材料、製造のコストを効果的に減らせることである。
【００１５】
特に、本考案の配管線用組合せ式ダクトは機動的に配管線方向に合わせて組み合わせることができ、有効に管線を固定し管線が押しつぶされて破壊されるのを防止するほか、各組合せ板１１及び斜板（図１参照）の板端上部に斜辺エリア５１が設けられ、運送機具或いは人員が順調に配管線用組合せ式ダクトを跨ぐことができ、配管線用組合せ式ダクトにひっかかるのを防止できるものとされ、さらには図７に示されるように、各組合せ板１１及び斜板２０或いはカバー板１３の表面に防滑凸歯５２が設けられて、運送機具或いは人が配管線用組合せ式ダクトを跨いで通過する時にタイヤの空転或いは転倒を防止し、全体の配管線用組合せ式ダクトの作業の安全に対する保護を明らかとしている。
【図面の簡単な説明】
【００１６】
【図１】本考案の配管線用組合せ式ダクトの構成要件の立体図である。
【図２】本考案中、曲角型組合せ板の立体図である。
【図３】本考案中、もう一種類の曲角型組合せ板の立体図である。
【図４】本考案の配管線用組合せ式ダクトの使用状態表示図である。
【図５】本考案の配管線用組合せ式ダクトの別の使用状態表示図である。
【図６】本考案中の組合せ板の構造断面図である。
【図７】本考案の別の実施例の配管線用組合せ式ダクトの立体図である。
【符号の説明】
【００１７】
１１  組合せ板            ３０  凹溝
１２  組合せ板            ４１  係止耳
１３  カバー板            ４２  係止孔
１４  ピン挿通部          ５１  斜辺エリア
１５  ピン                ５２  防滑凸歯
２０  斜板                ６０  管線
【図１】
0003135940.tif 000003
【図２】
0003135940.tif 000004
【図３】
0003135940.tif 000005
【図４】
0003135940.tif 000006
【図５】
0003135940.tif 000007
【図６】
0003135940.tif 000008
【図７】
0003135940.tif 000009